(57)【特許請求の範囲】
【請求項１】
中板と、
前記中板より上部において、前記中板との間にケーブルを固定するケーブル固定部材と、
前記中板より下部に設けられた２個のストッパー部材と、
を有し、
前記ケーブル固定部材は、
前記中板より下部に設けられていて、前記ケーブル固定部材の動きを制約する第一の干渉部と、
前記中板より上部に設けられていて、前記中板との間にケーブルを固定する押し込み部と、
を含み、
前記ストッパー部材は、
ストッパー軸と、
前記ストッパー軸の一端に設けられていて、前記中板に設けられた貫通口に差し込むことができる貫通部と、
前記ストッパー軸の他端に設けられていて、外力が加わらない状態で、前記第一の干渉部と互いに干渉し、かつ前記ケーブルの挿入方向において前記貫通部より手前に位置する第二の干渉部と、
前記ストッパー軸を回転させる回転軸と、
前記ストッパー軸の回転方向における位置決定を行うバネと、
を含み、
２個の前記ストッパー部材が、前記ケーブルの挿入方向において同じ位置に、上面視で左右対称に、設けられている、コネクタ。
【請求項２】
前記バネは、前記ストッパー軸と前記中板との間に設けられている請求項１に記載のコネクタ。
【請求項３】
前記ストッパー部材、前記中板、および前記ケーブル固定部材を覆む枠材と、
を備え、
前記バネは、前記枠材と前記ストッパー軸の間に設けられている請求項１に記載のコネクタ。  
【請求項４】
中板と、
前記中板より上部に、前記中板との間にケーブルを固定する押し込み部、および前記中板より下部に、ケーブル固定部材の動きを制約する第一の干渉部とを備えたケーブル固定部材と、
ストッパー軸と、前記ストッパー軸の一端に設けられていて、前記中板に設けられた貫通口に差し込むことができる貫通部と、前記ストッパー軸の他端に設けられていて、外力が加わらない状態で、前記第一の干渉部と互いに干渉し、かつ前記ケーブルの挿入方向において前記貫通部より手前に位置する第二の干渉部と、前記ストッパー軸を回転させる回転軸と、前記ストッパー軸の回転方向における位置決定を行うバネと、を備えており、かつ前記中板より下部に２個設けられているストッパー部材と、
を準備する工程と、
前記ケーブルを用いて前記貫通部を押すことにより、前記第一の干渉部と前記第二の干渉部との間の干渉を解消する解消工程と、
前記ケーブル固定部材をケーブル挿入方向に動かすことで、前記ケーブルを前記ケーブル固定部材と前記中板との間に固定する固定工程と、
を有し、
２個の前記ストッパー部材が、前記ケーブルの挿入方向において同じ位置に、上面視で左右対称に、設けられている、ケーブルの固定方法。
【発明の詳細な説明】
【技術分野】
【０００１】
本発明は、コネクタおよびケーブルの固定方法に関する。
【背景技術】
【０００２】
フレキシブルケーブルをコネクタに挿入した際、ケーブルがコネクタに対して斜め方向に挿入されたり、完全に接続されなかったりすることがある。
【０００３】
特許文献１−２には、フレキシブルケーブル用コネクタが開示されている。特許文献１には、コネクタ本体に挿入した接続対象物の切欠部が、コネクタに設けられた係止部に嵌合している状態となることで、押圧部材のコネクタ本体への挿入が許容されるような構成が記載されている。特許文献２には、ケーブル側ガイド部をコネクタのケーブル挿入口１７０に挿入するのに伴ってケーブル側ガイド部がコネクタ側ガイド部を挿脱方向にガイドされる構成が記載されている。
【先行技術文献】
【特許文献】
【０００４】
【特許文献１】特開２００６−２５２９７５号公報
【特許文献２】特開２０１０−２６７４１１号公報
【発明の概要】
【発明が解決しようとする課題】
【０００５】
ケーブルがコネクタに正常な状態で挿入されなかった場合、ケーブルの接続不良や、配線の端子間ショートといった問題が生じる可能性がある。このような問題を抑制するための手段として、ケーブルの挿入状態を目視する方法がある。かかる方法では、ケーブルがコネクタに完全に挿入されているか否か判断することは容易ではなく、作業効率や品質の低下といった問題も生じている。
【０００６】
本発明の目的は、ケーブルの挿入状態を目視しなくてもケーブルがコネクタに完全に挿入されていない時に接続されることを防止するコネクタを提供することにある。
【課題を解決するための手段】
【０００７】
本発明によれば、中板と、
前記中板より上部において、前記中板との間にケーブルを固定するケーブル固定部材と、
前記中板より下部に設けられた２個のストッパー部材と、
を有し、
前記ケーブル固定部材は、
前記中板より下部に設けられていて、前記ケーブル固定部材の動きを制約する第一の干渉部と、
前記中板より上部に設けられていて、前記中板との間にケーブルを固定する押し込み部と、
を含み、
前記ストッパー部材は、
ストッパー軸と、
前記ストッパー軸の一端に設けられていて、前記中板に設けられた貫通口に差し込むことができる貫通部と、
前記ストッパー軸の他端に設けられていて、外力が加わらない状態で、前記第一の干渉部と互いに干渉し、かつ前記ケーブルの挿入方向において前記貫通部より手前に位置する第二の干渉部と、
前記ストッパー軸を回転させる回転軸と、
前記ストッパー軸の回転方向における位置決定を行うバネと、
を含むコネクタが提供される。
【０００８】
さらに、本発明によれば、中板と、
前記中板より上部に、前記中板との間にケーブルを固定する押し込み部、および前記中板より下部に、前記ケーブル固定部材の動きを制約する第一の干渉部とを備えたケーブル固定部材と、
ストッパー軸と、前記ストッパー軸の一端に設けられていて、前記中板に設けられた貫通口に差し込むことができる貫通部と、前記ストッパー軸の他端に設けられていて、外力が加わらない状態で、前記第一の干渉部と互いに干渉し、かつ前記ケーブルの挿入方向において前記貫通部より手前に位置する第二の干渉部と、前記ストッパー軸を回転させる回転軸と、前記ストッパー軸の回転方向における位置決定を行うバネと、を備えており、かつ前記中板より下部に２個設けられているストッパー部材と、
を準備する工程と、
前記ケーブルを用いて前記貫通部を押すことにより、前記第一の干渉部と前記第二の干渉部との間の干渉を解消する解消工程と、
前記ケーブル固定部材をケーブル挿入方向に動かすことで、前記ケーブルを前記ケーブル固定部材と前記中板との間に固定する固定工程と、
を有しているケーブルの固定方法が提供される。
【発明の効果】
【０００９】
本発明によれば、互いに繋がっていない２個のストッパーは、ケーブルがコネクタに対して正常に挿入された時のみ両方解除される。こうすることで、ケーブルがコネクタに対して正常に挿入された時のみ、ケーブルはコネクタに固定される。このように、本発明のコネクタは、ケーブルの挿入状態を目視することはなく、かつケーブルがコネクタに完全に挿入されていない時に接続されることを防止することができる。
【図面の簡単な説明】
【００１０】
【図１】本実施形態に係るコネクタの側面図である。
【図２】本実施形態に係るコネクタの天面図である。
【図３】本実施形態に係るコネクタの下面図である。
【図４】本実施形態に係るコネクタの正面図である。
【図５】本実施形態に係るコネクタの側面図である。
【図６】本実施形態に係るコネクタの側面図である。
【図７】本実施形態に係るコネクタの天面図である。
【図８】本実施形態に係るコネクタの天面図である。
【図９】本実施形態に係るコネクタの側面図である。
【図１０】本実施形態に係るコネクタの側面図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
（第一の実施形態）
図１は、本実施形態に係るコネクタの側面図である。
図１に示すように、本実施形態に係るコネクタ４００は、中板２０と、中板２０より上部にて、中板２０との間にケーブル１００を固定するケーブル固定部材１０と、中板２０より下部に設けられた２個のストッパー部材１５０と、を有している。ケーブル固定部材１０は、中板２０より下部に、ケーブル固定部材１０の動きを制約する第一の干渉部５０を有しており、また中板２０より上部に、中板２０との間にケーブル１００を固定する押し込み部５５と、を有している。ストッパー部材１５０は、ストッパー軸３５とストッパー軸３５の一端に設けられていて、中板２０に設けられた貫通口１６０に差し込むことができる貫通部１１０と、ストッパー軸３５の他端に設けられていて、外力が加わらない状態で、第一の干渉部５０と互いに干渉し、かつケーブル１００の挿入方向において貫通部１１０より手前に位置する第二の干渉部７０と、を有している。さらに、ストッパー部材１５０は、ストッパー軸３５を回転させる回転軸３０と、ストッパー軸３５の回転方向における位置決定を行うバネ６０と、を含んでいる。
【００１３】
ケーブル固定部材１０は、貫通口１６０に差し込まれた２個の貫通部１１０にケーブル１００を同時に接触させない限り、ケーブル挿入方向に動かすことはできない。
【００１４】
なお、２個のストッパー部材１５０は、ケーブル１００の挿入方向の奥側の同じ位置に、上面視で左右対称に、かつ中板２０の両端と対応する箇所に設けられていることが好ましい。
【００１５】
以下、本実施形態に係るコネクタについて、図１−４を用いて詳細に説明する。なお、図１は、図２におけるＡ−Ａ'断面の側面図、図２は上面図、図３は下面図、図４は図１におけるＢ−Ｂ'断面から見た正面図である。
【００１６】
上記でも述べたように、本実施形態に係るコネクタ４００は、ケーブル固定部材１０と、中板２０と、互いに繋がっていない２個のストッパー部材１５０と、を有している。
【００１７】
まず、図１に示すように、本実施形態に係るコネクタ４００には、正面にケーブル挿入口１７０が設けられている。ケーブル挿入口１７０は、コネクタ４００本体の横幅と比べてやや狭く、かつ水平な状態のケーブル１００の横幅と比べほぼ同じである。コネクタ４００にケーブル１００を固定する際、該ケーブル挿入口１７０にケーブル１００は挿入される。なお、後述するが、コネクタ４００にケーブル１００を挿入する際、中板２０に対して水平になるように、ケーブル挿入口１７０に挿入する必要がある。
【００１８】
次に、コネクタ４００の内部について説明する。
【００１９】
コネクタ４００の内部は、中板２０を挟んでコネクタ上部２００とコネクタ下部３００とに分かれている。なお、コネクタ上部２００は、ケーブル１００が挿入される領域を有しており、コネクタ下部３００は、ケーブル固定部材１０の動きを制御する領域を有している。
【００２０】
中板２０は、ケーブル挿入方向における奥側の２つの隅に貫通口１６０が設けられている。この貫通口１６０は、ストッパー部材１５０に設けられている貫通部１１０が通るようになっている。また、中板２０は、挿入されたケーブル１００が搭載されるようになっている。中板２０に搭載されたケーブル１００は、ケーブル固定部材１０と中板２０との間に挟み込まれることで固定される。
【００２１】
次に、コネクタ４００に挿入したケーブル１００を押さえつける役割を有したケーブル固定部材１０について説明する。
【００２２】
ケーブル固定部材１０は、高さ方向で見た場合、コネクタ上部２００とコネクタ下部３とが跨るような形状を有している。ケーブル固定部材１０におけるコネクタ上部２００とコネクタ下部３００に位置する部分は、連結部９０によって連結されている。このような形状を有したケーブル固定部材１０において、コネクタ上部２００に位置する部分の先端、すなわちケーブル１００の挿入方向の端部には、押し込み部５５が設けられており、コネクタ下部３００の先端部、すなわちケーブル１００の挿入方向の端部には、第一の干渉部５０が、設けられている。
【００２３】
押し込み部５５は、ケーブル挿入方向側のコネクタ４００の天井側に傾斜辺５８を有している。この傾斜辺５８は、コネクタ４００の天井面に設けられている傾斜部材２５と互いに対向し、かつ平行に設けられている。なお、傾斜部材２５は、共に、ケーブル挿入方向に向かうに従い下向きに凸の形状を有している。
【００２４】
第一の干渉部５０は、ケーブル固定部材１０のうちコネクタ下部３００領域に位置する部分の先端に設けられている。第一の干渉部５０は、外力が加わらない状態であると、ストッパー部材１５０に設けられた第二の干渉部７０と互いに接触し、干渉し合っている。なお、ケーブル固定部材１０は、第一の干渉部５０と第二の干渉部７０による干渉が解消されない限り、ケーブル挿入方向に動くことはできない。第一の干渉部５０と第二の干渉部７０による干渉のメカニズムは、後述する。また、第一の干渉部５０の好ましい形状については、後述で、第二の干渉部７０と共に説明する。
【００２５】
なお、ケーブル固定部材１０には、ケーブル１００の挿入方向と垂直な方向における側部両側に連結部９０が設けられている。連結部９０は、押し込み部５５を有するケーブル固定部材１０のコネクタ上部２００に位置する部分と、第一の干渉部５５を有するコネクタ下部３００に位置する部分と、を連結している。これに加え、連結部９０は、ケーブル固定部材１０をコネクタ４００から外そうとした場合、ケーブル挿入口１７０に引っかかる。このため、連結部９０を取り付けたケーブル固定部材１０の横幅は、図２に示すように、コネクタ４００の側壁の横幅より狭く、かつケーブル挿入口１７０の横幅より広くなるようになっている。
【００２６】
また、ケーブル固定部材１０における、コネクタ４００内部から露出した箇所には、ケーブル１００の挿入方向と垂直になるようにつまみ部が設けられていても良い。こうすることで、ケーブル固定部材１０を指でつまみやすくなり、ケーブル固定部材１０の出し入れが容易になる。
【００２７】
次に、ストッパー部材１５０について説明する。
【００２８】
ストッパー部材１５０は、貫通部１１０、第二の干渉部７０、回転軸３０、バネ６０、およびストッパー軸３５を有している。なお、本実施形態では、図３に示すように、ケーブル挿入方向におけるコネクタ４００の奥側に、左右対称になるように、２つのストッパー部材１５０が設けられている。
【００２９】
中板２０の貫通口１６０への貫通部１１０の差し込みは、ケーブル１００が正常に挿入されない限り解消されない。なぜなら、ストッパー部材１５０は、互いに独立した２つの部材であり、２つの貫通部１１０をケーブル１００によって同時に押し込まない限り、貫通口１６０に差し込まれた貫通部１１０は抜けないようになっているからである。
【００３０】
ストッパー軸３５におけるケーブル挿入口１７０側の端部には、第二の干渉部７０が設けられ、ケーブル１００の挿入方向における奥側の端部には、貫通部１１０が設けられている。このため、貫通口１６０に差し込まれた貫通部１１０が抜けた際、ケーブル１００の挿入に伴い発生した応力が第二の干渉部７０に伝わるようになっている。つまり、ケーブル１００によって貫通部１１０が押しこまれることで、貫通部１１０はケーブル１００の挿入方向に動く。これに伴い、ストッパー軸３５に応力が伝わり、ストッパー軸３５は回転軸３０を中心に第二の干渉部７０が中板２０に近づく方向に回転する。
【００３１】
回転軸３０は、ストッパー軸３５の中心に、中板２０とストッパー軸３５との間に挟み込まれるように配されている。この回転軸３０が設けられていることで、ケーブル１００の挿入に伴う、第一の干渉部５０と第二の干渉部７０との間に生じている干渉を解消、およびケーブル固定部材１０によるケーブル１００の固定、を連動的に行うことができる。なぜなら、回転軸３０を中心にストッパー軸３５を回転させることが出来るからである。具体的には、ケーブル１００が挿入されていない状態、すなわち外力を加えていない状態では、ストッパー部材１５０の下端はケーブル固定部材１０に設けられた第一の干渉部５０と同じ高さになるように配されている。一方、ケーブル１００が正常に挿入され、貫通部１１０がケーブル１００の挿入方向側に押しこまれた際、第二の干渉部７０が中板２０に近づくようになっている。このとき、バネ６０はストッパー軸３５によって押しこまれる。
【００３２】
バネ６０は、中板２０とストッパー軸３５に接続されている。また、バネ６０に対して外力が加わっていない状態では、ストッパー軸３５に接続された第二の干渉部７０と第一の干渉部５０とが同じ高さになるようになっている。
【００３３】
第二の干渉部７０は、上記で述べたように、ケーブル１００を挿入していない状態で、第一の干渉部５０と同じ高さになるように配されている。こうすることで、貫通部１１０がケーブル１００によって押しこまれて、外力がストッパー軸３５に加わらない限り、第一の干渉部５０と互いに干渉させることができる。このように、第一の干渉部５０と第二の干渉部７０は、互いに干渉されているため、ケーブル固定部材１０の動きは制約される。また、第一の干渉部５０と第二の干渉部７０は、互いに対向して配されていることが好ましい。なぜなら、互いに対向するように第一の干渉部５０と第二の干渉部７０とが設けられていることによって、確実に干渉させることが可能だからである。さらに、第一の干渉部５０と第二の干渉部７０との干渉面は、共に、挿入方向に対して垂直方向であることが好ましい。
【００３４】
次に、コネクタ４００へのケーブル１００の挿入方法について、図１、５および６を用いて説明する。なお、図１はケーブル１００の挿入前、図５は、ケーブル１００を挿入して貫通部１１０の差し込みを解除した状態、図６は、挿入したケーブル１００の固定が完了した状態、を説明するための図である。
【００３５】
まず、中板２０と、ケーブル固定部材１０と、中板２０より下部に設けられた２個のストッパー部材１５０と、を少なくとも有しているコネクタ４００を準備する。
【００３６】
次に、図１に示すように、中板２０と水平になるように、ケーブル１００をケーブル挿入口１７０に挿入する。このとき、ケーブル１００は、いずれの方向にも傾かないように挿入することが好ましい。なぜなら、ケーブル１００を傾けて挿入してしまった場合、後述で説明するように、２個ある貫通部１１０をケーブル１００の挿入方向に押し込むことができない。
【００３７】
次に、図５に示すように、ケーブル１００を差し込むことで、貫通口１６０に差し込まれた貫通部１１０をケーブル１００の挿入方向に押しこむ。こうすることで、貫通部１１０に外力を加えることができる。貫通部１１０が奥に傾くことにより発生した外力は、ストッパー軸３５を介して第二の干渉部７０に伝えることができる。これに伴い、ストッパー軸３５は、回転軸３０を中心に中板２０方向に回転する。このとき、第二の干渉部７０も中板２０方向に近づくように回転する。第二の干渉部７０が回転することによって、ケーブル固定部材１０に設けられた第一の干渉部５０との間の干渉を解除することができる。こうすることで、ケーブル固定部材１０は、ケーブル１００の挿入方向に向けて動かすことが可能となる。
【００３８】
次に、図６に示すように、ケーブル固定部材１０をケーブル１００の挿入方向に押し込み、ケーブル１００を、ケーブル固定部材１０と中板２０との間に挟み込み固定する。なお、ケーブル１００を抜く場合、ケーブル固定部材１０をケーブル挿入方向とは逆方向に動かせばよい。なぜなら、第一の干渉部５０と第二の干渉部７０とが互いに干渉していないので、ケーブル固定部材１０の動作は制約されていないからである。こうすることで、ケーブル１００は、コネクタ４００から容易に抜くことができる。
【００３９】
次に、図７−９を用いて、ケーブル１００の挿入に伴う、貫通部１１０の引っ掛かり構造を解除することについて詳説する。図７は、正常に挿入した場合の天面図、図８は、ケーブル１００を傾けて挿入してしまった場合の天面図、図９は、図８の側面図である。
【００４０】
図７に示すように、ケーブル１００をコネクタ４００に対し、正常に挿入した場合、ケーブル１００の端部が２つの貫通部に同時に接触している。このように、ケーブル１００で同時に貫通部１１０を奥に押し込むことによって、貫通部１１０の差し込み構造を解除することができる。
【００４１】
一方、図８に示すように、ケーブル１００を斜めに挿入した場合、片方の貫通部１１０は押しこまれるが、もう片方は押しこまれない。このとき、図９に示すように、貫通部１１０の差し込み状態に関しても、片方は解除されるが、もう片方は解除されない。つまり、第一の干渉部５０と第二の干渉部７０による干渉に関しても、片方は解消されるが、もう片方は解消されない。すなわち、ケーブル１００がコネクタ４００に正常に挿入されない限り、ケーブル固定部材１０は、ケーブル１００の挿入方向に動くことはできない。
【００４２】
次に、本実施形態に係るコネクタ４００の効果について説明する。
【００４３】
互いに繋がっていない２個の貫通部１１０は、ケーブル１００がコネクタ４００に対して正常に挿入された時のみ両方解除される。こうすることで、ケーブル１００がコネクタ４００に対して正常に挿入された時のみ、ケーブル１００はコネクタ４００に固定される。このように、本実施形態のコネクタ４００は、ケーブル１００の挿入状態を目視することはなく、かつケーブル１００がコネクタ４００に完全に挿入されていない時に接続されることを防止することができる。
【００４４】
また、ケーブル１００をコネクタ４００に対し、正常に挿入しない限り固定することは出来ないので、以下に説明する効果が期待される。ケーブル１００の誤挿入が無くなるため、ケーブル１００が正常に固定された製品のみを提供できる。これによって、品質の向上に繋がる。また、ケーブル１００は正常に挿入されない限り固定することは出来ないので、目視で確認する必要はなくなる。これに伴い、作業効率の向上にもつながる。
【００４５】
（第２の実施形態）
図１０は、本実施形態に係るコネクタの側面図である。
図１０に示すように、本実施形態に係るコネクタ４００は、バネ６２が、枠材とストッパー軸３５との間の領域に設けられている点で、第１の実施形態と異なっている。なお、ケーブル１００の固定方法、および本実施形態に係るコネクタ４００による作用効果については、第一の実施形態と同様である。
【００４６】
以上、図面を参照して本発明の実施形態について述べたが、これらは本発明の例示であり、上記以外の様々な構成を採用することもできる。
以下、参考形態の例を付記する。
１．中板と、
前記中板より上部において、前記中板との間にケーブルを固定するケーブル固定部材と、
前記中板より下部に設けられた２個のストッパー部材と、
を有し、
前記ケーブル固定部材は、
前記中板より下部に設けられていて、前記ケーブル固定部材の動きを制約する第一の干渉部と、
前記中板より上部に設けられていて、前記中板との間にケーブルを固定する押し込み部と、
を含み、
前記ストッパー部材は、
ストッパー軸と、
前記ストッパー軸の一端に設けられていて、前記中板に設けられた貫通口に差し込むことができる貫通部と、
前記ストッパー軸の他端に設けられていて、外力が加わらない状態で、前記第一の干渉部と互いに干渉し、かつ前記ケーブルの挿入方向において前記貫通部より手前に位置する第二の干渉部と、
前記ストッパー軸を回転させる回転軸と、
前記ストッパー軸の回転方向における位置決定を行うバネと、
を含むコネクタ。
２．２個の前記ストッパー部材が、前記ケーブルの挿入方向において同じ位置に、上面視で左右対称に、設けられている１．に記載のコネクタ。
３．前記バネは、前記ストッパー軸と前記中板との間に設けられている１．または２．に記載のコネクタ。
４．前記ストッパー部材、前記中板、および前記ケーブル固定部材を、覆む枠材と、
を備え、
前記バネは、前記枠材と前記ストッパー軸の間に設けられている１．または２．に記載のコネクタ。  
５．中板と、
前記中板より上部に、前記中板との間にケーブルを固定する押し込み部、および前記中板より下部に、前記ケーブル固定部材の動きを制約する第一の干渉部とを備えたケーブル固定部材と、
ストッパー軸と、前記ストッパー軸の一端に設けられていて、前記中板に設けられた貫通口に差し込むことができる貫通部と、前記ストッパー軸の他端に設けられていて、外力が加わらない状態で、前記第一の干渉部と互いに干渉し、かつ前記ケーブルの挿入方向において前記貫通部より手前に位置する第二の干渉部と、前記ストッパー軸を回転させる回転軸と、前記ストッパー軸の回転方向における位置決定を行うバネと、を備えており、かつ前記中板より下部に２個設けられているストッパー部材と、
を準備する工程と、
前記ケーブルを用いて前記貫通部を押すことにより、前記第一の干渉部と前記第二の干渉部との間の干渉を解消する解消工程と、
前記ケーブル固定部材をケーブル挿入方向に動かすことで、前記ケーブルを前記ケーブル固定部材と前記中板との間に固定する固定工程と、
を有しているケーブルの固定方法。
【符号の説明】
【００４７】
１０    ケーブル固定部材
２０    中板
２５    傾斜部材
３０    回転軸
３５    ストッパー軸
５０    第一の干渉部
５５    押し込み部
５８    傾斜辺
６０    バネ
６２    バネ
７０    第二の干渉部
９０    連結部
１００    ケーブル
１１０    貫通部
１５０    ストッパー部材
１６０    貫通口
１７０    ケーブル挿入口
２００    コネクタ上部
３００    コネクタ下部
４００    コネクタ
【図１】
0005633939.tif 000002
【図２】
0005633939.tif 000003
【図３】
0005633939.tif 000004
【図４】
0005633939.tif 000005
【図５】
0005633939.tif 000006
【図６】
0005633939.tif 000007
【図７】
0005633939.tif 000008
【図８】
0005633939.tif 000009
【図９】
0005633939.tif 000010
【図１０】
0005633939.tif 000011